(57)【要約】【課題】周囲の明るさと光源の点灯・消灯とによって外観が変化することにより装飾性が向上する照明器具を提供する。【解決手段】カバー２には光源の点灯時若しくは周囲が明るいときに見える第１の模様を表す第１の装飾部３と、光源が消灯し且つ周囲が暗いときに見える第２の模様を表す第２の装飾部４とが設けられている。第１の模様と第２の模様とは異なっている。また、カバー２の外側から見て第２の装飾部４は第１の装飾部３に覆われている。光源の点灯時及び周囲が明るいときと、光源が消灯し且つ周囲が暗いときとでカバー２に現れる模様が異なるから、周囲の明るさと光源の点灯・消灯とによって外観が変化することにより装飾性が向上する。さらに、光源の点灯時や周囲が明るいときには第１の装飾部３によって第２の装飾部４が隠されるから、第２の模様が現れたときに引き起こされる驚きが増す。【選択図】        図１
2004234911.tif 000002
【特許請求の範囲】
【請求項１】
施工面に配設されて光源を支持する器具本体と、透光性材料からなり光源を覆うカバーとを備え、カバーには光源の点灯時若しくは周囲が明るいときに見える第１の模様を表す第１の装飾部と、光源が消灯し且つ周囲が暗いときに見える第２の模様を表す第２の装飾部とが設けられ、第１の模様と第２の模様とが異なっていることを特徴とする照明器具。
【請求項２】
第１の装飾部は透光性材料で形成され、第２の装飾部は残光性蛍光体で形成されていることを特徴とする請求項１記載の照明器具。
【請求項３】
第２の装飾部はカバーの外側から見て第１の装飾部に全体が覆われていることを特徴とする請求項２記載の照明器具。
【請求項４】
光源が消灯し且つ周囲が明るいときにカバーの外側から第２の装飾部が見えない程度に第１の装飾部の透明度を低くしてあることを特徴とする請求項３記載の照明器具。
【発明の詳細な説明】
【０００１】
【発明の属する技術分野】
本発明は、施工面に配設されて光源を支持する器具本体と、透光性材料からなり光源を覆うカバーとを備える照明器具に関するものである。
【０００２】
【従来の技術】
従来から、この種の照明器具において、残光性蛍光体によってカバーに模様を描いたものが提供されている（例えば、特許文献１参照）。この照明器具は、光源が消灯し且つ周囲が暗いとき、残光性蛍光体が発光することにより、カバーに光る模様が現れるものである。この光る模様により、無地の照明器具に比べて装飾性を高めている。また、子供が寝るときの恐怖心を和らげるなどの心理的な効果もあった。
【０００３】
【特許文献１】
特開２０００−１１７０９号公報（第３−４頁、第１図）
【０００４】
【発明が解決しようとする課題】
しかし、光源の点灯時や日中のように周囲が明るいときにも、光源が消灯し且つ周囲が暗いときに現れる模様と同じ模様が薄く見えたため、光る模様が現れても外観上の変化が乏しかった。
【０００５】
本発明は上記事由に鑑みてなされたものであり、その目的は、周囲の明るさと光源の点灯・消灯とで外観が変化することにより装飾性が向上する照明器具を提供することにある。
【０００６】
【課題を解決するための手段】
請求項１の発明は、施工面に配設されて光源を支持する器具本体と、透光性材料からなり光源を覆うカバーとを備え、カバーには光源の点灯時若しくは周囲が明るいときに見える第１の模様を表す第１の装飾部と、光源が消灯し且つ周囲が暗いときに見える第２の模様を表す第２の装飾部とが設けられ、第１の模様と第２の模様とが異なっていることを特徴とする。
【０００７】
請求項２の発明は、請求項１の発明において、第１の装飾部は透光性材料で形成され、第２の装飾部は残光性蛍光体で形成されていることを特徴とする。
【０００８】
請求項３の発明は、請求項２の発明において、第２の装飾部はカバーの外側から見て第１の装飾部に全体が覆われていることを特徴とする。
【０００９】
請求項４の発明は、請求項３の発明において、光源が消灯し且つ周囲が明るいときにカバーの外側から第２の装飾部が見えない程度に第１の装飾部の透明度を低くしてあることを特徴とする。ここで、「透明度」とは可視光線に対する透過率を意味する。
【００１０】
【発明の実施の形態】
以下、本発明の実施の形態を図面に基づいて説明する。
【００１１】
本実施形態は、図２に示すように、天井などの施工面Ｃに配設され、豆電球Ｌ１や環状蛍光灯Ｌ２（以下、この２つを総称して「光源Ｌ」と呼ぶ）を支持する器具本体１と、透光性材料からなり光源Ｌを覆うカバー２とを備える。器具本体１は、金属性の円盤状であって一面を施工面Ｃに向けて固定される基部１１と、基部１１の他面の周縁部に突設された周壁１２とを備える。周壁１２の外側面の先端部には保持突起１３が突設されている。基部１１において周壁１２に囲まれた部位には、環状蛍光灯Ｌ２を点灯するための点灯回路を構成する電子部品が実装された回路基板が収納された回路収納部１４と、回路収納部１４内の回路基板と環状蛍光灯Ｌ２とを電気的に接続する蛍光灯用ソケット１５と、金属板からなり一部がＵ字状に曲成され環状蛍光灯Ｌ２を引掛けて保持するランプホルダ１６と、豆電球Ｌ１が取り付けられる豆電球用ソケット１７とが設けられている。
【００１２】
カバー２はドーム形状であって、周縁部が内側へ反っており、窪んだ側の面を器具本体１へ向けて端部が器具本体１の保持突起１３に係止されることによって器具本体１に保持されている。また、カバー２は施工面に直交する方向から見て図１に示すように円形状に形成されている。カバー２の外面には、太陽のキャラクターとその周囲の光芒とを象った第１の模様を表す第１の装飾部３が設けられ、カバー２の内面には、三日月のキャラクターとその周囲に配置された星とを象った第２の模様を表す第２の装飾部４が設けられている。第１の装飾部３は透光性塗料を用い、第２の装飾部４は残光性蛍光体を用いて、それぞれカバー２上に例えばシルク印刷を施すことによって形成されている。従って、周囲が明るいとき及び光源Ｌの点灯時には第１の装飾部３が照らされて図３に示す第１の模様が現れ、光源Ｌが消灯し且つ周囲が暗いときには第２の装飾部４が発光して図４に示す第２の模様が現れる。ここで、カバー２の外側から見ると、三日月のキャラクターは太陽のキャラクターに覆われ、星は光芒に覆われている。つまり、第２の装飾部４はカバー２の外側から見て全体が第１の装飾部３に覆われている。また、光源Ｌを消灯しかつ周囲が明るいときには第２の装飾部４が見えない程度に、第１の装飾部３の透明度は低くしてある。
【００１３】
上記構成によれば、光源Ｌの点灯時及び周囲が明るいときと、光源Ｌが消灯し且つ周囲が暗いときとでカバー２に現れる模様が異なるから、周囲の明るさと光源Ｌの点灯・消灯とによって外観が変化することにより装飾性が向上する。
【００１４】
また、第２の装飾部４がカバー２の外側から見て第１の装飾部３に覆われていて、且つ、光源Ｌを消灯しかつ周囲が明るいときには第２の装飾部４が見えない程度に第１の装飾部３の透明度を低くしてあることにより、光源Ｌの点灯時や周囲が明るいときには第２の装飾部４が見えにくくなっている。従って、光源Ｌの点灯時や周囲が明るいときの外観から第２の模様を予想することが難しいから、第２の模様が現れたときに引き起こされる驚きが増し、装飾性がさらに向上する。
【００１５】
第１の模様及び第２の模様の他の例として、例えば第１の模様を図５に示すようにカバー２の外周に沿って並んだ複数の動物のキャラクターがそれぞれ目を開けている様子を象ったものとし、第２の模様を図６に示すように第１の模様と同じ動物のキャラクターがそれぞれ眼を閉じて眠っている様子を象ったものとしてもよい。このように第１の模様と第２の模様とを関連させてストーリー性を持たせることによって、面白みが増し子供に喜ばれる照明器具とすることができる。
【００１６】
【発明の効果】
請求項１の発明は、施工面に配設されて光源を支持する器具本体と、透光性材料からなり光源を覆うカバーとを備え、カバーには光源の点灯時若しくは周囲が明るいときに見える第１の模様を表す第１の装飾部と、光源が消灯し且つ周囲が暗いときに見える第２の模様を表す第２の装飾部とが設けられ、第１の模様と第２の模様とが異なっているから、周囲の明るさと光源の点灯・消灯とによって外観が変化することにより装飾性が向上する。
【００１７】
請求項２の発明は、請求項１の発明において、第１の装飾部は透光性材料で形成され、第２の装飾部は残光性蛍光体で形成されているから、光源の点灯時若しくは周囲が明るいときには第１の装飾部が照らされることにより第１の模様がカバーの外側から見え、光源が消灯し且つ周囲が暗いときには第２の装飾部が発光することにより第２の模様がカバーの外側から見える。
【００１８】
請求項３の発明は、請求項２の発明において、第２の装飾部はカバーの外側から見て第１の装飾部に全体が覆われているから、第２の装飾部が第１の装飾部に覆われない場合と比べ、第２の装飾部が見えにくくなり、光源の点灯時若しくは周囲が明るいときの外観から第２の模様を予想することが難しくなる。従って、第２の模様が現れたときに引き起こされる驚きが増し、装飾性がさらに向上する。
【００１９】
請求項４の発明は、請求項３の発明において、光源が消灯し且つ周囲が明るいときにカバーの外側から第２の装飾部が見えない程度に第１の装飾部の透明度を低くしてあるから、光源が消灯し且つ周囲が明るいときには第２の模様が見えなくなり、従って光源が消灯し且つ周囲が明るいときの外観から第２の模様を予想することができなくなるから、第２の模様が現れたときに引き起こされる驚きがさらに増し、装飾性がより向上する。
【図面の簡単な説明】
【図１】本発明の実施形態を示す説明図である。
【図２】同上を示す断面図である。
【図３】同上における第１の模様を示す説明図である。
【図４】同上における第２の模様を示す説明図である。
【図５】同上の別の形態における第１の模様を示す説明図である。
【図６】同上の別の形態における第２の模様を示す説明図である。
【符号の説明】
１  器具本体
２  カバー
３  第１の装飾部
４  第２の装飾部
Ｃ  施工面
【図１】
2004234911.tif 000003
【図２】
2004234911.tif 000004
【図３】
2004234911.tif 000005
【図４】
2004234911.tif 000006
【図５】
2004234911.tif 000007
【図６】
2004234911.tif 000008